(57)【要約】【課題】ヘッダー付きの包装ケースにおいて、ケースの上部開口を上蓋で確実に密閉し、粘着テープなどの止着手段を用いずに、ケース開口を閉鎖した上蓋を閉鎖位置に強固に固定する。【解決手段】ヘッダー付きの包装ケースの前面部２の上端に、先端に湾曲折れ線１４を挟んで差込み片１５が連なる上蓋９を設け、後面部３の上端に、横折れ線８で内折れ部１１ａと外折れ部１１ｂに区画された中折れ面部１１を設け、中折れ面部１１の先端には横折れ線８を挟んでヘッダー部１８を設けるとともに、内折れ部１１ａと外折れ部１１ｂに面内に差込み片１５が差し込まれる細孔部１９，２０をそれぞれ設ける。二つ折りにした中折れ面部１１に上蓋９を被せ、差込み片１５を二重の細孔部１９，２０に差し込んでケースの上部開口を上蓋９で閉鎖する。【選択図】図２
2015209237.tif 000002
【特許請求の範囲】
【請求項１】
表面に折れ線が設けられた所定形状のプラスチックシートであって折れ線に沿ってシートを折り曲げることにより、ヘッダー付きの有底箱形の包装ケースに組み立てられるケース組み立て用シートにおいて、
ケースの前後となる前面部と後面部と前記前後面部の間の側面部と前記前後面部の少なくとも一方の側端に設けられた糊代片とが縦折れ線で区画され、
前記前面部の上端に、上蓋が横折れ線を挟んで設けられ、この上蓋の先端には湾曲折れ線を挟んで差込み片が設けられ、
前記後面部の上端に、横折れ線で内折れ部と外折れ部に区画された中折れ面部が横折れ線を挟んで設けられ、この中折れ面部の先端には横折れ線を挟んでヘッダー部が設けられているとともに、前記中折れ面部の内折れ部と外折れ部の面内に前記上蓋の差込み片が差し込まれる細孔部がそれぞれ設けられ、
当該シートを前記縦折れ線に沿って折り曲げるとともに糊代片をシートの他側の側端部に固着して筒形にした状態で、横折れ線で二つ折りにした中折れ面部に上蓋を被せ、差込み片を外折れ部と内折れ部の細孔部に差し込んで中折れ面部に係入させることにより、ケースの上部開口が閉鎖されるように設けられた構成を有することを特徴とするケース組み立て用シート。
【請求項２】
差込み片が、その横幅が内折れ部と外折れ部に設けられたそれぞれの細孔部の横幅よりも大きく、且つその左右両端部から内側の面内にそれぞれ縦折れ線が設けられた構成を有することを特徴とする請求項１に記載のケース組み立て用シート。
【請求項３】
請求項１又は２に記載のケース組み立て用シートをその表面に設けられた折れ線に沿って折り曲げるとともに糊代片をシートの他側の側端部に固着して筒形にした状態で、ケースの下部開口を底蓋で塞ぎ、横折れ線で二つ折りにした中折れ面部に上蓋を被せ、差込み片を外折れ部と内折れ部の細孔部に差し込んで中折れ面部に係入させてケースの上部開口を閉鎖することにより、多面箱形に組み立てられることを特徴とする包装ケース。
【請求項４】
請求項３に記載の包装ケースに物品が収納されてなる包装体。
【発明の詳細な説明】
【技術分野】
【０００１】
本発明は、透明度の高いプラスチックにより成形されたシートを所定形状に打ち抜き、その表面に形成された折れ線に沿って折り曲げて組み立てられ、化粧品や日用品その他の物品を収納して販売や展示に供するのに好適なプラスチックシート製の包装ケースに関し、ディスプレイ効果を高めるための広告表記が付され、或いは吊り下げ用の孔が設けられるヘッダー付きの包装ケースの構造のものに関する。
【背景技術】
【０００２】
ヘッダー付きの包装ケースとして、例えば図９に示されるように、方形筒形に組み立てられる包装ケース１００の前面部１０１の上端に、先端に差込み片１０３を有する上蓋１０２を設け、後面部１０４の上部にヘッダー部１０５を設けるとともに、後面部１０４上部の左右側面部１０６，１０７と境界部に孔部１０８，１０８をそれぞれ設け、包装ケース１００の上部開口に上蓋１０２を被せ、下折れさせた差込み片１０３の側端部１０３ａ，１０３ａを孔部１０８，１０８に係入させることで上部開口を閉鎖する位置に上蓋１０２を保持する構成のものが知られている（例えば特許文献１，２参照）。
【先行技術文献】
【特許文献】
【０００３】
【特許文献１】特開２００１−３０１７４１号公報
【特許文献２】特開２００４−６７１１９号公報
【発明の概要】
【発明が解決しようとする課題】
【０００４】
図示したケース包装ケース１００は、物品が収納されたケース内部を密閉した状態で展示販売に供することができるが、上蓋１０２と後面部１０４との隙間に指を添えて上蓋１０２を引き上げれば、簡単にケースが開封してしまう。そのため、転じ販売中に包装された物品が改ざんされたり万引きされたりしやすく、改ざんや万引き、いたずらを防止するためには、ホットメルトなどの糊剤や粘着テープを用いて上蓋１０２を後面部１０４がヘッダー部１０５に固着しておく必要があった。
【０００５】
また、ケースを搬送しているときに衝撃を受けたり、ヘッダー部１０５に形成された孔に展示棚のフックを通して物品が包装されたケースを吊下げて展示した際に物品の重みで後面部１０４が撓んだりしたときに、後面部１０４と上蓋１０２との間に隙間ができやすく、この隙間から塵埃や異物がケース内部に入り込んでしまうこともあった。後面部１０３に接合する差込み片１０３の全体が後面部１０３表面に貼り付けてあれば、上蓋１０２と後面部１０４との間に隙間ができることはないが、貼り付けには専用の設備が必要となって包装コストが嵩張ってしまう。
【０００６】
本発明は従来技術の有するこのような問題点に鑑み、所定形状のシートを折り曲げて組み立てられるヘッダー付きの包装ケースにおいて、ケースの上部開口を上蓋で確実に密閉し、糊剤や粘着テープなどの止着手段を用いなくとも、ケース開口を閉鎖した上蓋を閉鎖位置に固定して、ケースを搬送している間などに加わる衝撃や力、さらには展示販売中にケースに指を添えて加える程度の力によっては、ケースが開封することのないようにすることを課題とする。
【課題を解決するための手段】
【０００７】
前記課題を解決するため本発明は、表面に折れ線が設けられた所定形状のプラスチックシートであって折れ線に沿ってシートを折り曲げることにより、ヘッダー付きの有底箱形の包装ケースに組み立てられるケース組み立て用シートにおいて、
ケースの前後となる前面部と後面部と前記前後面部の間の側面部と前記前後面部の少なくとも一方の側端に設けられた糊代片とが縦折れ線で区画され、
前記前面部の上端に、上蓋が横折れ線を挟んで設けられ、この上蓋の先端には湾曲折れ線を挟んで差込み片が設けられ、
前記後面部の上端に、横折れ線で内折れ部と外折れ部に区画された中折れ面部が横折れ線を挟んで設けられ、この中折れ面部の先端には横折れ線を挟んでヘッダー部が設けられているとともに、前記中折れ面部の内折れ部と外折れ部の面内に前記上蓋の差込み片が差し込まれる細孔部がそれぞれ設けられ、
当該シートを前記縦折れ線に沿って折り曲げるとともに糊代片をシートの他側の側端部に固着して筒形にした状態で、横折れ線で二つ折りにした中折れ面部に上蓋を被せ、差込み片を外折れ部と内折れ部の細孔部に差し込んで中折れ面部に係入させることにより、ケースの上部開口が閉鎖されるように設けられた構成を有することを特徴とする。
【０００８】
これによれば、前記構成のケース組み立て用シートをその表面に付された折れ線に沿って折り曲げるとともに、糊代片をシートの他側の側端部に固着して筒形にした状態で、ケースの下部開口を底蓋で塞ぎ、横折れ線で二つ折りにした中折れ面部に上蓋を被せ、差込み片を外折れ部と内折れ部の細孔部に差し込んで中折れ面部に係入させてケースの上部開口を閉鎖することにより、有底箱形の包装ケースに組み立てることができる。
物品は底蓋でケースの下部開口を塞いだ状態で収納し、前記二つ折りにした中折れ面部に上蓋を被せてケースの上部開口を閉鎖することで物品が収納された包装体が構成され、包装された物品を展示販売に供することができる。
なお、底蓋は、ケースの下部開口が開いて物品が抜け落ちることを防止するため、糊剤や粘着テープでケース表面に留め付けてもよい。
【０００９】
これによれば、上蓋の先端に設けられた差込み片を、中折れ面部の内折れ部と外折れ部に形成された二重の細孔部に差し込んで中折れ面部に表面に係合させるように設けてあるので、二重の細孔部に差し込んだ差込み片が抜け難くなり、上部開口を閉鎖する位置に上蓋を強固に保持して、上蓋と後面部との間に隙間が出来にくいものとなる。
また、中折れ面部の先端に設けられたヘッダー部がケースの上部で後面部に沿って上方へ突出し、ヘッダー部表面に広告表記を付することで、包装ケースを展示した際のディスプレイ効果を高めることができる。
【００１０】
前記構成のケース組み立て用シートにおいて、差込み片が、その横幅が内折れ部と外折れ部に設けられたそれぞれの細孔部の横幅よりも大きく、且つその左右両端部から内側の面内にそれぞれ縦折れ線が設けられた構成を有することが好ましい。
【００１１】
これによれば、差込み片は、その左右両側を縦折れ線に沿って屈曲させるなどの変形させた状態で中折れ面部の二重の細孔部に差し込まれ、中折れ面部の下側に差し込んだ状態で、差込み片の変形させていた左右両側の部分が自身の弾性により、中折れ面部の下側で元の面一な形状に戻るため、差込み片の左右両側の部分が中折れ面部の下面に確実に係合し、差込み片を細孔部からより抜け難くいものとすることができる。
また、中折れ面部は外折れ部と内折れ部が折れ重なり、その上方から上蓋を被せ、且つ細孔部に差込み片を係入させて、上蓋で二つ折れした中折れ面部を上方から押し付けるように設けてあるので、中折れ面部に生じる弾発復元力により、中折れ面部の下面と差込み片との係合が強固になって差込み片の抜き外しが困難となり、ケースは開封がし難い構造のものとなる。
【００１２】
前記構成のケース組み立て用シートにおいて、中折れ面部の内折れ部と外折れ部に設ける細孔部は、差込み片を挿入可能な細幅の孔や、スリット状の孔や切込みとすることができる。中折れ面部を二つ折りしたときに下側となる内折れ部の細孔部は、差込み片との係合が確実になされるように、その孔部の縁部を湾曲させてあることが好ましい。
【００１３】
また、前記構成において、ケース組み立て用シートを構成するプラスチックシートの材質としては、耐折性が良好なポリエステル、ポリプロピレン、ポリエチレン、ポリカーボネート、或いはポリ乳酸などの生物由来性樹脂、その他の樹脂単体又はこれらの複合体からなるプラスチックシートを用いることができる。特にポリエステル製のシートは、透明性が良好で剛性が高い点で好ましく、中でも未延伸のポリエステル製シートは、より透明性が良好で且つ未延伸であるためシートの方向に関係なく強度が高い点で好ましい。
プラスチックシートの肉厚は、０．１〜０．８ｍｍに設定することができる。０．１ｍｍより薄いとシート面板の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
プラスチックシートの表面に形成される、折れ線である折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などプラスチックシートを罫線に沿って折り曲げることが可能な適宜な種類の罫線をケースの寸法やプラスチックシートの材質、剛性、厚みなどに応じて適宜に設定することができる。
ケース組み立て用シートの糊代片や底蓋を固着する手段は、接着剤や粘着剤、片面や両面粘着テープなど、適宜な止着手段を用いることができる。
本発明は開口面が四角形や六角形などの多角形状を呈する、有底箱形の包装ケースに適用可能である。
【発明の効果】
【００１４】
本発明の包装ケースによれば、糊剤や粘着テープなどの止着手段を用いることなく、上蓋に強力な開封防止性を付与することができ、簡単には開封できないため、包装された物品の改ざん防止や万引き防止、いたずらし防止などに効果的である。上蓋はケースの上部開口を閉鎖する位置に強固に保持されるため、上蓋の周囲に隙間が出来にくく、搬送中や展示中にケース内部に塵埃や異物が入りにくく、包装された物品の品質を維持することができる。
また、中折れ面部の先端に設けられたヘッダー部がケースの上部で後面部に沿って突出するため、ヘッダー部表面に広告表記を付することで、包装ケースを展示した際のディスプレイ効果を高めることができる。ヘッダー部に吊り下げ孔を設ければ、ケースを展示棚のフックに吊下げて展示することも可能である。
【図面の簡単な説明】
【００１５】
【図１】本発明の一実施形態の包装ケースの外観図である。
【図２】図１の包装ケースのシート展開図である。
【図３】図１の包装ケースを二つ折りにした状態の外観図である。
【図４】（Ａ）、（Ｂ）は図１の包装ケースの上蓋を上部開口に被せて閉鎖する工程を説明するための図である。
【図５】内折れ部の細孔部に差込み片を差し込んだときの係合状態を説明するための図である。
【図６】上蓋の差込み片を中折れ面部の二重の細孔部に差し込んだ状態のケース上部の拡大切断端面図である。
【図７】破り罫線を設けた包装ケースの外観図である。
【図８】図７の包装ケースのシート展開図である。
【図９】従来の包装ケースの外観図である。
【発明を実施するための形態】
【００１６】
本発明の好適な一実施形態を図面に基づいて説明する。
図１は本発明の一実施形態のヘッダー付きの包装ケースを示しており、この包装ケース１は、図２に示されるケース組み立て用シートＳを折り曲げて六面箱形に組み立てられ、ケース内部に化粧品などの物品を収納し、ヘッダー部に広告表記を付して店頭での展示販売に供されるように構成したものである。
【００１７】
ケース組み立て用シートＳは、透明なプラスチックシートを所定形状に打抜き、その表面に複数の折れ線を付設して形成されており、図２に示されるように、各々矩形状の板面からなる、前面部２、後面部３、左右側面部４，５及び糊代片６の各面部が縦折れ線７を挟んで連設され、前面部２の上下端部に横折れ線８を挟んでそれぞれ上蓋９と中蓋１０を連設させ、後面部３の上下端部に同じく横折れ線８を挟んでそれぞれ中折れ面部１１と底蓋１２を連設させるとともに、左右側面部４，５の上下端部に同じく横折れ線８を挟んで各々フラップ１３を連設させた形状に設けてある。
【００１８】
詳しくは、前面部２の上端に連なる上蓋９の先端には、湾曲折れ線１４を挟んで舌状の差込み片１５が設けてある。差込み片１５は、その左右両側端よりも内側に設けられた縦折れ線１６，１６に沿って左右両側が屈曲可能となっている。
また、前面部２の下部と前面部２の下端に連なる中蓋１０の境界部分には、後述する底蓋１２の差込み片２１が係入するスリット状の孔部１７が形成してある。
【００１９】
後面部３の上端に連なる中折れ面部１１は、その中央に設けられた横折れ線８で内折れ部１１ａと外折れ部１１ｂに区画されているとともに、中折れ面部１１のセ先端に横折れ線８を挟んでヘッダー部１８が一体に設けてある。
また、内折れ部１１ａの面内には後面部３の上端と区画する横折れ線８に沿って細孔部１９が、外折れ部１１ｂの面内にはヘッダー部１８の後面部３の下端と区画する横折れ線８に沿って細孔部２０がそれぞれ設けてある。両細孔部１９，２０は、上蓋９の差込み片１５が差込み可能なように、上蓋９を閉じた際の対応位置に形成されており、ともに横幅が差込み片１５の左右端部間の幅よりも短い寸法に設定してある。また、内折れ部１１ａの細孔部１９の縁部は、前記差込み片１５の根元部の湾曲折れ線１４と略同じ曲率半径で湾曲させてある。
また、後面部３の下端に連なる底蓋１２の先端には、横折れ線８を挟んで舌状の差込み片２１が設けてある。差込み片２１の両側の後面部３との付け根部には、筋状の切込みをそれぞれ形成してある。
前記細孔部１９，２０は、差込み片１５を係入可能であれば、スリット状の切込みとしてもよい。
【００２０】
このように形成されたケース組み立て用シートＳは以下のようにして包装ケース１に組み立てることができる。
先ず、前面部２と糊代片６を区画する縦折れ線７と、後面部３と右側面部５を区画する縦折れ線７に沿ってシートＳを折り曲げて二つ折りし、糊代片７を左側面部４の側端外面に接着することにより、前後左右側面部２，３，４，５を一体の筒体とした二つ折り状の包装ケース１が組み立てられる。二つ折り状の包装ケース１は、図３に示されるように、扁平は二つ折りの状態で複数個を積み重ねて保管や運搬に供される。
【００２１】
二つ折りに折り畳まれた包装ケース１を立体的に組み立てるには、扁平な包装ケース１を開いて周面を方形に開口するとともに各面部を各々横折れ線８に沿って折り曲げ、先ず、左右側面部４，５の下側のフラップ１３，１３を内側へ折り曲げ、これに重ねて中蓋１０を内折れさせ、さらに底蓋１２を中蓋１０に被せ、底蓋１２の差込み片２１を中蓋１０の根元部に形成された孔部１７に差し込んで、差込み片２１の孔部１７の内面に係合させて、ケースの下部開口を底蓋１２で閉鎖する。下部開口を底蓋１２で閉鎖した状態で、底蓋１２の表面に粘着テープを貼り付けて、底蓋１２を閉鎖位置に固定してもよい。
【００２２】
ケースの下部開口を底蓋１２で塞いだならば、上部開口から包装する物品をケース内部に収納し、上部開口を上蓋９で閉鎖する。
このとき、左右側面部４，５の上側のフラップ１３，１３を内側へ折り曲げた状態で、図４（Ａ）に示されるように、中折れ面部１１をその中央の横折れ線８に沿って、内折れ部１１ａをケース内方へ、外折れ部１１ｂをケース外方へ折り曲げて、中折れ面部１１を二つ折りし、二つ折りした中折れ面部１１に上蓋９を被せる。
そして、図４（Ｂ）に示されるように、上蓋９の差込み片１５を、外折れ部１１ｂの細孔部２０に差し込み、さらに内折れ部１１ａの細孔部１９に差し込んで、差込み片１５を二つ折りした中折れ面部１１の下側に係入させる。
【００２３】
このとき、細孔部１９，２０は、ともにその横幅が差込み片１５の左右側端部間の幅よりも狭く設けてあるので、差込み片１５の左右両側部分を縦折れ線１６，１６に沿って屈曲させながら、両細孔部１９，２０内に押し入れる。
二重の細孔部１９，２０に差し込まれた差込み片１５は、図５に示されるように、中折れ面部１１の下側で、押し込む際に変形させていた差込み片１５の左右両側の部分が自身の弾性により、中折れ面部１１の下側で元の面一な形状に戻って、中折れ面部１１の下面に確実に係合する。
【００２４】
前記の通り、上蓋９の差込み片１５を、中折れ面部１１の二重の細孔部１９，２０に係入させることにより、ケースの上部開口が上蓋９で閉鎖されて、包装ケース１は内部を密閉した六面箱形に保形され、ケース内に収納された物品を店頭で陳列したり展示販売に供したりすることができる。
【００２５】
組み立てられた包装ケース１は、中折れ面部１１の先端に設けられたヘッダー部１８がケースの上部で後面部３に沿って上方へ突出し、ヘッダー部１８の表面に広告表記を付することで、包装ケース１を展示した際のディスプレイ効果を高めることができる。
また、包装ケース１は、図６に示されるように、上蓋９の差込み片１５を、中折れ面部１１の内折れ部１１ａと外折れ部１１ｂに形成された二重の細孔部１９，２０に差し込んで中折れ面部１１の下側表面に係合させるように設けてあるので、二重の細孔部１９，２０に差し込んだ差込み片１５が抜け難くなり、上部開口を閉鎖する位置に上蓋９を強固に保持して、上蓋９と後面部３との間に隙間が出来にくいものとなる。
とりわけ、中折れ面部１１は内折れ部１１ａと外折れ部１１ｂが折れ重なり、その上方から上蓋９を被せ、且つ細孔部１９，２０に差込み片１５を係入させて、上蓋９で二つ折れした中折れ面部１１を上方から押し付けるように設けてあるので、中折れ面部１１に生じる弾発復元力により、中折れ面部１１の下面と差込み片１５との係合が強固になって、差込み片１５の抜き外しが困難となり、ケースは極めて開封がし難い構造のものとなる。
【００２６】
包装ケース１の開封は、上蓋９を手やハサミで破断したりケース下部に留め付けられた底蓋１２を開けたりして行なうことができるが、例えば図７及び図８に示されるように、ケース組み立て用シートＳの正面部２や底蓋１２などの面内に破り罫線２２を形成しておき、破り罫線２２にシートを破断することで開封するように設けてもよい。
【００２７】
なお、図示したケース組み立て用シートＳ及び包装ケース１は、本発明の実施形態の一例を示すものであり、本発明はこれに限定されず、収納する物品の形態や包装の態様などに応じて他の適宜な形態で構成することが可能である。
【符号の説明】
【００２８】
Ｓ  ケース組み立て用シート、１  包装ケース、２  前面部、３  後面部、４  左側面部、５  右側面部、６  糊代片、７  縦折れ線、８  横折れ線、９  上蓋、１０  中蓋、１１  中折れ面部、１１ａ  内折れ部、１１ｂ  外折れ部、１２  底蓋、１３  フラップ、１４  湾曲折れ線、１５  差込み片、１６  縦折れ線、１７  孔部、１８  ヘッダー部、１９，２０  細孔部、２１  差込み片、２２  破り罫線
【図１】
2015209237.tif 000003
【図２】
2015209237.tif 000004
【図３】
2015209237.tif 000005
【図４】
2015209237.tif 000006
【図５】
2015209237.tif 000007
【図６】
2015209237.tif 000008
【図７】
2015209237.tif 000009
【図８】
2015209237.tif 000010
【図９】
2015209237.tif 000011